(57)【要約】【課題】ＰＤＰの表示面側の冷却をする際の構造が複雑であり、また冷却処理の結果ＰＤＰの表示面に塵や埃が付着していた。【解決手段】ＰＤＰ１０の表示面１１と光学フィルタ８０とに挟まれた空間の開放された周囲を、通気性を有する防塵フィルタによって塞いだため、キャビネット内を循環する空気が当該空間をも通過可能となった。その結果、ＰＤＰ１０の背面側や上記回路等だけでなく、表示面１１および光学フィルタ８０を確実に冷却することができる。また、ユーザがプラズマテレビジョン１００の前面側から光学フィルタ８０に触れた場合にも高熱であるということが防止される。さらに、上記冷却を実現しつつ防塵フィルタによって当該空間への塵や埃の流入を防ぐため、表示面１１に塵や埃が付着してＰＤＰ１０の表示能力が低下し、製品寿命が短くなるということが防がれる。【選択図】図２
2006330196.tif 000002
【特許請求の範囲】
【請求項１】
プラズマディスプレイパネルを収容する筺体内部と外部との間で空気を通過させることにより筺体内部を冷却するプラズマテレビジョンにおいて、
上記筺体の背面側の複数箇所に通気口を形成し、
プラズマディスプレイパネルの表示面と筺体の前面側に取り付けた光学フィルタとに挟まれた空間の周囲の４方向のうち上下方向を通気性を有する防塵フィルタを用いて塞ぎ左右方向を通気性を有さない部材によって密閉することにより同空間と同空間の外部との間を通気可能とし、
表示面と光学フィルタとに挟まれた空間の上方向において同空間を塞いでいる防塵フィルタの近傍の筺体壁面に筺体内部の空気を外部に排出する排気ファンを設け、
少なくとも排気ファンが設けられた壁面周辺から上記上方向の防塵フィルタが内接する壁面位置まで連続する筺体壁面については通気不能な構造とし、
排気ファンの排気口を筺体の内側から仕切る仕切板を表示面の背面側から排気口まで略到達するように延設することにより仕切板と排気口の一部と上記通気不能な構造の筺体壁面と上記上方向の防塵フィルタとによって囲まれた空間を形成し、
表示面と光学フィルタとに挟まれた空間の下方向において同空間を塞いでいる防塵フィルタの近傍の筺体壁面に外部から筺体内部に空気を送り込むファンであってその吸気口を通気性を有する防塵フィルタによって塞いだ吸気ファンを設けたことを特徴とするプラズマテレビジョン。
【請求項２】
パネル型ディスプレイを収容する筺体内部と外部との間で空気を通過させることにより筺体内部を冷却する映像表示装置において、
上記筺体の所定箇所に通気口を形成するとともに、上記パネル型ディスプレイの表示面と筺体の前面側に取り付けた光学フィルタとに挟まれた空間の周囲を通気性を有する防塵フィルタを用いて塞ぐことにより同空間と同空間の外部との間を通気可能としたことを特徴とする映像表示装置。
【請求項３】
上記表示面と光学フィルタとに挟まれた空間を取り囲む各方向のうち一の方向において上記空間を塞いでいる防塵フィルタの近傍の筺体壁面に、筺体内部の空気を外部に排出する排気ファンを設けたことを特徴とする請求項２に記載の映像表示装置。
【請求項４】
少なくとも上記排気ファンが設けられた壁面周辺から同排気ファンの近傍の防塵フィルタが内接する壁面位置まで連続する筺体壁面については通気不能な構造とすることを特徴とする請求項３に記載の映像表示装置。
【請求項５】
筺体内の空間を仕切る仕切板をその一端が上記排気ファンの排気口に略内接するように設け、当該仕切板と排気口の一部と上記通気不能な構造の筺体壁面と上記近傍の防塵フィルタとによって囲まれた空間を形成することを特徴とする請求項４に記載の映像表示装置。
【請求項６】
上記表示面と光学フィルタとに挟まれた空間を取り囲む各方向のうち上記排気ファンを設けた方向と対抗する方向の筺体壁面に、外部から筺体内部に空気を送り込む吸気ファンを設けるとともに、上記各方向のうち排気ファンを設けた方向および排気ファンを設けた方向と対抗する方向以外の他の方向においては、表示面と光学フィルタとに挟まれた空間を通気性を有さない部材によって密閉することを特徴とする請求項３〜請求項５のいずれかに記載の映像表示装置。
【請求項７】
上記吸気ファンの吸気口は通気性を有する防塵フィルタによって塞がれることを特徴とする請求項６に記載の映像表示装置。
【発明の詳細な説明】
【技術分野】
【０００１】
本発明は、筺体内部を冷却するための構造を備えるプラズマテレビジョンおよび映像表示装置に関する。
【背景技術】
【０００２】
従来より、プラズマディスプレイパネル（ＰＤＰ）の前に通風空間を設け、背面の回路基板の背後に冷却器を配し、下方に送風ファンを設け、冷却器で冷却した空気を送風ファンで筺体内を循環させ、ＰＤＰおよび回路基板を冷却する技術が知られている（例えば、特許文献１参照。）。
【特許文献１】特開平９‐３０７２５７号公報
【発明の開示】
【発明が解決しようとする課題】
【０００３】
上記文献においては、ＰＤＰ前面と筺体前面の強化ガラスと挟まれた空間は完全に開放されているため、同空間を空気は循環するものの同時に塵や埃まで同空間を通過してしまい、ＰＤＰ前面に塵や埃が付着、堆積してしまうという課題があった。
また、上記文献では、筺体内に冷却器を配するとともに筺体外の排熱ユニットと接続するという構成を採っており、ＰＤＰの冷却のための構造が非常に複雑であった。
【０００４】
本発明は、上記課題にかんがみてなされたもので、簡易な構成によって、パネル型ディスプレイの表示能力の低下を防ぐとともに同ディスプレイの前面側を効率的に冷却することが可能なプラズマテレビジョンおよび映像表示装置を提供することを目的とする。
【課題を解決するための手段】
【０００５】
上記目的を達成するために請求項２の発明は、パネル型ディスプレイを収容する筺体内部と外部との間で空気を通過させることにより筺体内部を冷却する映像表示装置において、上記筺体の所定箇所に通気口を形成するとともに、上記パネル型ディスプレイの表示面と筺体の前面側に取り付けた光学フィルタとに挟まれた空間の周囲を通気性を有する防塵フィルタを用いて塞ぐことにより同空間と同空間の外部との間を通気可能とした構成としてある。
【０００６】
上記のように構成した請求項２においては、筺体の所定箇所に通気口を形成しているため筺体の内外を空気が通過する。また、パネル型ディスプレイの表示面と筺体の前面側に取り付けた光学フィルタとに挟まれた空間の周囲を通気性を有する防塵フィルタを用いて塞いでいる。よって、筺体内を循環する空気は防塵フィルタを介して当該空間をも通過する。その結果、駆動時に熱を持ちやすい表示面やこの表示面に所定の隙間を介して相対している光学フィルタを効率的に冷却することが可能となる。
また、表示面と光学フィルタとに挟まれた空間に塵や埃が入り込んで表示面に付着することを防ぐことができる。
【０００７】
請求項３の発明は、請求項２に記載の映像表示装置において、上記表示面と光学フィルタとに挟まれた空間を取り囲む各方向のうち一の方向において上記空間を塞いでいる防塵フィルタの近傍の筺体壁面に、筺体内部の空気を外部に排出する排気ファンを設けた構成としてある。
【０００８】
表示面と光学フィルタとに挟まれた空間を取り囲む上下左右の各方向のうち、一の方向において空間を塞いでいる防塵フィルタの近傍の筺体壁面に排気ファンを設ければ、この一の防塵フィルタを介して上記空間から外部へ空気を通過させて筺体外へ排気することができる。その結果、上記空間をも含めた筺体内における空気の循環経路がある程度形成され、冷却の効率が上がる。
【０００９】
請求項４の発明は、請求項３に記載の映像表示装置において、少なくとも上記排気ファンが設けられた壁面周辺から同排気ファンの近傍の防塵フィルタが内接する壁面位置まで連続する筺体壁面については、通気不能な構造としてある。
このように、排気ファンと排気ファン近傍の防塵フィルタとの周辺の筺体壁面には通気口などを形成せずに通気不能としておく。その結果、当該近傍の防塵フィルタを通過してきた空気は排気ファンによって筺体外部へ排出されやすくなる。つまり、上記空間を通過して気温が上昇した空気を素早く筺体外へ排出できるため、筺体内部の冷却効率が一層上がる。
【００１０】
請求項５の発明は、請求項４に記載の映像表示装置において、筺体内の空間を仕切る仕切板をその一端が上記排気ファンの排気口に略内接するように設け、当該仕切板と排気口の一部と上記通気不能な構造の筺体壁面と上記近傍の防塵フィルタとによって囲まれた空間を形成する構成としてある。かかる空間を作れば、上記近傍の防塵フィルタを通過した空気は、排気ファンの排気口の一部以外に逃げ場がなくなるため、上記空間を通過して気温が上昇した空気を即筺体外へ排出するという空気の循環経路が確立される。
【００１１】
請求項６の発明は、請求項３〜請求項５のいずれかに記載の映像表示装置において、上記表示面と光学フィルタとに挟まれた空間を取り囲む各方向のうち上記排気ファンを設けた方向と対抗する方向の筺体壁面に、外部から筺体内部に空気を送り込む吸気ファンを設けるとともに、上記各方向のうち排気ファンを設けた方向および排気ファンを設けた方向と対抗する方向以外の他の方向においては、表示面と光学フィルタとに挟まれた空間を通気性を有さない部材によって密閉する構成としある。
【００１２】
つまり、表示面と光学フィルタとに挟まれた空間の上下あるいは左右という対抗する向きに備えられた二つの防塵フィルタのそれぞれ近傍の筺体壁面に、一方には排気ファンを、他方には吸気ファンを備えておく。さらに、排気ファンを設けた方向および排気ファンを設けた方向と対抗する方向以外の他の方向においては上記空間を通気性を有さない部材によって塞ぐ。その結果、表示面と光学フィルタとに挟まれた空間を上下方向あるいは左右方向に通過する空気の流れが筺体内部において確実に形成され、表示面および光学フィルタを効率よく冷却することができる。
【００１３】
請求項７の発明は、請求項６に記載の映像表示装置において、上記吸気ファンの吸気口は通気性を有する防塵フィルタによって塞がれる構成としてある。吸気口自体をも防塵フィルタによって塞げば、筺体内部に流入する塵や埃を大幅にカットすることができ、パネル型ディスプレイの劣化を抑えられ製品寿命が延びる。
【００１４】
以上の構成を踏まえたうえで、請求項１の発明は、ＰＤＰを収容する筺体内部と外部との間で空気を通過させることにより筺体内部を冷却するプラズマテレビジョンにおいて、上記筺体の背面側の複数箇所に通気口を形成し、ＰＤＰの表示面と筺体の前面側に取り付けた光学フィルタとに挟まれた空間の周囲の４方向のうち上下方向を通気性を有する防塵フィルタを用いて塞ぎ左右方向を通気性を有さない部材によって密閉することにより同空間と同空間の外部との間を通気可能とし、表示面と光学フィルタとに挟まれた空間の上方向において同空間を塞いでいる防塵フィルタの近傍の筺体壁面に筺体内部の空気を外部に排出する排気ファンを設け、少なくとも排気ファンが設けられた壁面周辺から上記上方向の防塵フィルタが内接する壁面位置まで連続する筺体壁面については通気不能な構造とし、排気ファンの排気口を筺体の内側から仕切る仕切板を表示面の背面側から排気口まで略到達するように延設することにより仕切板と排気口の一部と上記通気不能な構造の筺体壁面と上記上方向の防塵フィルタとによって囲まれた空間を形成し、表示面と光学フィルタとに挟まれた空間の下方向において同空間を塞いでいる防塵フィルタの近傍の筺体壁面に外部から筺体内部に空気を送り込むファンであってその吸気口を通気性を有する防塵フィルタによって塞いだ吸気ファンを設けた構成としてある。
【００１５】
このような、より具体的な構成において上述した請求項２〜請求項７の各発明と同様の作用および効果を奏することは言うまでもない。
【発明の効果】
【００１６】
以上説明したように本発明によれば、冷却器などを備えることなく、ＰＤＰなどのパネル型ディスプレイの表示面およびこれに相対する光学フィルタを効率よく冷却することができ、かつ表示面に塵や埃が付着することを防ぐ。よって、ユーザが前面側から光学フィルタに触れた場合に高温であるということが防がれ、また塵や埃などによるディスプレイ装置の表示能力の劣化も防止できる。
【発明を実施するための最良の形態】
【００１７】
図１は、本発明にかかるプラズマテレビジョン１００を組み立てる様子を斜視図により簡易的に示している。
同図においては、前面側から背面側へ順に概略、光学フィルタ８０、フロントキャビネット３０、ＰＤＰ１０を示している。フロントキャビネット３０は、前後方向に所定幅を有する部材である上辺３１、下辺３１、左辺３２、右辺３２によって構成された枠状部材であり、その枠内にＰＤＰ３０を収容する。またフロントキャビネット３０は、後述のリアキャビネット４０とともにテレビジョンキャビネット（以下、単にキャビネット）を形成し、同キャビネットには、図示しないチューナ回路や電源回路や映像・音声の処理回路やパネル駆動回路など、プラズマテレビジョンとして必要な各回路等が収容される。
【００１８】
光学フィルタ８０は、フロントキャビネット３０の前面側の上下左右の縁部において、固定具９１，９２で前面側から押さえつけられるようにして固定される。光学フィルタ８０は、導電性を有する特殊なガラス素材によって生成されており、ＰＤＰ１０の表示面１１側を覆うことで、ＰＤＰ１０から発生する電磁波を遮蔽する効果（シールド効果）を発揮する。また、シールド効果以外にも、光学フィルタ８０は、ＰＤＰ１０による画像のコントラストや色再現性を向上させる働きをする。
【００１９】
ＰＤＰ１０は、背面側において２本のブラケット２０に支持された状態でキャビネット３０に収容される。具体的には、ＰＤＰ１０の背面の上下左右の４箇所においてアタッチメント５０が固定されており、かつ左右２組に分かれたアタッチメント５０の各組がそれぞれ１本のブラケット２０と固定されている。２本のブラケット２０はそれぞれに、プラズマテレビジョン１００の設置面から略垂直に立設するスタンド部材（図示せず）と接続することにより、プラズマテレビジョン１００の略全体を所定高さに支持する。
【００２０】
フロントキャビネット３０もブラケット２０に対して固定される。ブラケット２０は、アタッチメント５０を介してＰＤＰ１０と接続した際にその上下の端部２２ａ，２２ｂがＰＤＰ１０の上下方向の幅よりも外側に延出する長さに設計されており、この延出した上下の端部２２ａ，２２ｂとフロントキャビネット３０の上辺３１、下辺３１とをそれぞれ固定しあう。さらに、図１においては省略してあるが、プラズマテレビジョン１００の背面側を覆うリアキャビネット４０も、上記ブラケット２０に対して固定する。
つまり、フロントキャビネット３０、ＰＤＰ１０、リアキャビネット４０は、いずれもブラケット２０に対して固定される。その結果、フロントキャビネット３０、ＰＤＰ１０、リアキャビネット４０が互いに荷重し合うことが防がれる。
【００２１】
図２は、図１のＡ‐Ａ線によってプラズマテレビジョン１００を切断した場合の断面図を示している。同図では、アタッチメント５０及びブラケット２０は省略してある一方、図１では省略したリアキャビネット４０を示している。
リアキャビネット４０の内壁における上方の所定箇所には排気ファン１２０が取り付けられている。排気ファン１２０はその略中央に設けた排気口１２１の内部にモータ等所定の動力によって回転する排気用のプロペラを有し、プロペラを回転させることでキャビネット内の空気を外部に排出する。排気ファン１２０を取り付けた位置のリアキャビネット４０の壁面には壁面を貫通する通気口４１が形成されており、この通気口４１と排気口１２１を介して空気が外部へ排出される。
また、通気口４１は、排気ファン１２０を取り付けた位置以外にもキャビネットの複数箇所に形成されている。
【００２２】
ＰＤＰ１０は、表示面１１を前面側に向けた状態で、図示しない所定の固定手段によってフロントキャビネット３０内に固定されている。ＰＤＰ１０の背面側には、図示しない上記回路等が配設される。また、フロントキャビネット３０には上述したように前面側から光学フィルタ８０が取り付けられている。本実施形態では、上辺３１の一部であって開口３３の内側に延出する上縁部３１ａと、下辺３１の一部であって開口３３の内側に延出する下縁部３１ｂとにおいて、固定具９２で光学フィルタ８０の上下の端部をそれぞれ押さえつける際に、光学フィルタ８０と上縁部３１ａ、下縁部３１ｂとの間にガスケット１１０を介在させている。ガスケット１１０は、金属メッシュ等の導電性を有す素材によって構成されたものであり、光学フィルタ８０とフロントキャビネット３０の前面側との隙間を埋めることで、シールド効果を発揮する。ガスケット１１０は、光学フィルタ８０の左右の端部とフロントキャビネット３０の前面側の左右縁部との間にも挟まれている。なお、固定具９１，９２は、ネジ止め等によってフロントキャビネット３０に対して固定する。
【００２３】
上記のようにＰＤＰ１０と光学フィルタ８０とをセッティングした場合、光学フィルタ８０と表示面１１との間には、フロントキャビネット３０の開口３３を挟んで所定の隙間が空く。そこで、本発明においては、ＰＤＰ１０と光学フィルタ８０との間に通気性を有する防塵フィルタを挟むことにより、かかる隙間を塞いでいる。より具体的には、表示面１１の上端と上縁部３１ａの内側との間を防塵フィルタ７０ａで塞ぎ、表示面１１の下端と下縁部３１ｂの内側との間を防塵フィルタ７０ｂで塞いでいる。また、図には表れていないが、表示面１１の左右の端部とフロントキャビネット３０の前面側の左右の縁部の内側との間にも防塵フィルタを介在させている。
【００２４】
つまり、ＰＤＰ１０と光学フィルタ８０とによって挟まれた空間（以下、単に当該空間といった場合には、ＰＤＰ１０と光学フィルタ８０とによって挟まれた空間を言うものとする。）の周囲を防塵フィルタによって塞ぐことにより、当該空間と外部との空気の移動を可能とするとともに、空気の移動に伴う塵や埃の当該空間への流入は遮断している。
その結果、同図の矢印で示したように、キャビネット内においては、各通気口４１から流入した空気が、上記回路等を配設したＰＤＰ１０の背面側の空間だけでなく当該空間をも通過した上で、排気ファン１２０によってキャビネット外へ排出される。よって、プラズマテレビジョン１００の駆動時において熱を持ちやすいＰＤＰ１０の表示面１１及び光学フィルタ８０を効率よく冷却することができる。
【００２５】
本発明においては、当該空間における空気の循環効率を高めるために、種々の工夫を施している。
排気ファン１２０の周辺および上側の防塵フィルタ７０ａが内接する部位を含む所定範囲のキャビネットの壁面については、排気口１２１裏の通気口４１を除いて通気口など隙間を一切設けず密閉構造とする。本実施形態においては、図２に示す２点鎖線より上方のキャビネットの壁面については密閉構造とする。その結果、排気ファン１２０による空気の収集効率が上がり、下側または左右の防塵フィルタを介して当該空間に流入した空気が上側の防塵フィルタ７０ａを介して当該空間から流出するとともに、この流出した空気がキャビネット内に再度拡散する前に強制的に排気ファン１２０から排出されるという空気の流れが形成される。つまり、当該空間を通過して暖められた空気が素早くキャビネット外へ排出されるため、当該空間内を始め上記回路等の冷却効率が上がる。
【００２６】
また、キャビネット内の上方において空間を仕切る仕切板６０を設けても良い。
本実施形態においては、仕切板６０の一端が排気ファン１２０の排気口１２１に略内接するように仕切板６０を設ける。より具体的には、ＰＤＰ１０の背面側の上端部位から排気ファン１２０に向かって仕切板６０を延設し、その一端が排気口１２１の略中央を上下に仕切るように排気ファン１２０にまで略到達させる。図４は、仕切板６０の一端を排気口１２１に略到達させた状態を示している。
この結果、仕切板６０と、排気口１２１の一部と、上述したように密閉構造となったキャビネットの壁面と、上側の防塵フィルタ７０ａとによって囲まれた空間が生まれる。
【００２７】
このように仕切板６０を設けることで、上側の防塵フィルタ７０ａを介して当該空間から流出した空気は、ほぼ排気口１２１の一部しか逃げ場がなくなるため、この流出した空気がキャビネット内に再度拡散することなく確実に排気ファン１２０から排出される。その結果、下側または左右の防塵フィルタを介して当該空間に流入した空気が上側の防塵フィルタ７０ａを介して当該空間から流出し、排気されるという空気の循環サイクルが確立され、当該空間内の冷却効率がより一層上がる。
【００２８】
図３は、図１のＡ‐Ａ線によってプラズマテレビジョン１００を切断した場合の断面図であって、図２とは異なる構成例を示している。図３においては、主にフロントキャビネット３０の所定位置に吸気ファン１３０を設けた点において図２に示したキャビネットと異なっている。
図に示すように吸気ファン１３０は、ＰＤＰ１０の下方のキャビネットの壁面、すなわちフロントキャビネット３０の底面において、内接して取り付けられている。吸気ファン１３０は、その略中央に設けた吸気口の内部にモータ等所定の動力によって回転する吸気用のプロペラを有し、プロペラを回転させることでキャビネット外の空気をキャビネット内部に送り込む。上記排気ファン１２０を取り付けた場合と同様に、吸気ファン１３０を取り付けたフロントキャビネット３０の壁面には壁面を貫通する通気口４２が形成されている。
【００２９】
上記吸気ファン１３０を備える場合には、ＰＤＰ１０と光学フィルタ８０とに挟まれた空間周囲の各方向のうち左右方向においては、通気性を有さない部材によって密閉する。つまり、ＰＤＰ１０の表示面１１の左右の端部とフロントキャビネットの前面側の左右の縁部の内側との間は、防塵フィルタではなく空気を通さない部材によって塞ぐ。
その結果、吸気ファン１３０によってキャビネット内に吸入された空気が、下側の防塵フィルタ７０ｂと上側の防塵フィルタ７０ａとを介して当該空間を下から上へと通過し、同通過後の空気が排気ファン１２０によってキャビネット外へと排出されるという空気の循環サイクルが確立される。従って、上記吸気ファン１３０を設けることで、表示面１１および光学フィルタ８０をより効率的に冷却することが可能となる。
【００３０】
また吸気ファン１３０を設ける場合には、その吸気口にも上記防塵フィルタを付けても良い。その結果、吸気ファン１３０によってキャビネット内に空気を吸い込む際に、塵や埃がキャビネット内に流入することが防止される。
【００３１】
このように本発明によれば、ＰＤＰ１０の表示面１１と光学フィルタ８０とに挟まれた空間の開放された周囲を、通気性を有する防塵フィルタによって塞いだため、キャビネット内を循環する空気が当該空間をも通過可能となった。その結果、ＰＤＰ１０の背面側や上記回路等だけでなく、表示面１１および光学フィルタ８０を確実に冷却することができる。また、光学フィルタ８０が冷却されるため、ユーザがプラズマテレビジョン１００の前面側から光学フィルタ８０に触れた場合にも高熱であるということが防止される。さらに、上記冷却を実現しつつ防塵フィルタによって当該空間への塵や埃の流入を防ぐため、表示面１１に塵や埃が付着してＰＤＰ１０の表示能力が低下し、製品寿命が短くなるということが防がれる。
【図面の簡単な説明】
【００３２】
【図１】プラズマテレビジョンの組立を示した斜視図。
【図２】一例にかかるプラズマテレビジョンの縦断面図。
【図３】他の例にかかるプラズマテレビジョンの縦断面図。
【図４】排気ファンおよび仕切板の一部を示した図。
【符号の説明】
【００３３】
１０…ＰＤＰ
１１…表示面
２０…ブラケット
３０…フロントキャビネット
３１…上辺、下辺
３１ａ…上縁部
３１ｂ…下縁部
３２…左辺、右辺
３３…開口
４０…リアキャビネット
４１，４２…通気口
５０…アタッチメント
６０…仕切板
７０ａ，７０ｂ…防塵フィルタ
８０…光学フィルタ
９１，９２…固定具
１００…プラズマテレビジョン
１１０…ガスケット
１２０…排気ファン
１２１…排気口
１３０…吸気ファン
【図１】
2006330196.tif 000003
【図２】
2006330196.tif 000004
【図３】
2006330196.tif 000005
【図４】
2006330196.tif 000006